(57)【特許請求の範囲】
【請求項１】
板状物に綴じ孔を穿設し、前記板状物の外周より前記綴じ孔に向けて直角に切り込んで直角辺を形成し、前記板状物の外周より前記直角辺または前記綴じ孔に向けて傾斜して切り込んで傾斜辺を形成し、前記直角辺と前記傾斜辺とにより開口を形成してある止め具を、表表紙と裏表紙の開放端部にそれぞれ取り付け、前記表表紙と裏表紙には、前記綴じ孔および開口に対応する切断用のミシン目を設けることを特徴とする止め具を用いるファイル。
【請求項２】
板状物に綴じ孔を穿設し、前記板状物の外周より前記綴じ孔に向けて直角に切り込んで直角辺を形成し、前記板状物の外周より前記直角辺または前記綴じ孔に向けて傾斜して切り込んで傾斜辺を形成し、前記直角辺と前記傾斜辺とにより開口を形成し、前記綴じ孔に並設して第一のスリットを形成してある止め具を、ファイルの表紙体に設けた綴じ金具用の第二のスリットに、止め具の前記第一のスリットを対応させて、各スリットに綴じ金具を差し込んで止め具を装着したファイル。
【請求項３】
綴じ孔と直角辺との交点に対し、綴じ孔と傾斜辺との交点を外周側に位置させたことを特徴とする請求項１又は２のいずれかに記載の止め具を用いるファイル。
【発明の詳細な説明】
【０００１】
【発明の属する技術分野】
本発明は、書類等を綴じるための止め具、およびこの止め具を用いるファイルに関する。
【０００２】
【従来の技術】
従来、書類等を綴じ込むための止め具として、種々のものがあるが、例えば、図１１に示されるファイル補助具がある（実開昭５３−３４３２７号公報参照）。このファイル補助具は、本体１に綴じ込み穴３と綴じ具を穴３に導くミゾ２を設け、本体１に書類をとりつけるため剥離紙７で覆った接着部４を設け、書類を一定にとりつけるための印５をつけることを特徴としている。６は接着剤、８は突起である。
【０００３】
【発明が解決しようとする課題】
しかしながら、前記した従来の止め具においては、綴じ込み穴に連続するミゾの部分の開口が大きいため、綴じ込む際の押し込み力が小さくてすみ、容易に綴じ込むことができ、また、取り外す際も容易に取り外すことができるという利点があるが、綴じ込んだあと簡単に脱落しやすく、特に長期間保存した場合等、脱落が極めて多くなるという問題があった。
【０００４】
本発明は、前記問題点を解決するためになされたものであり、綴じ込まれた状態が安定しており、長期間に亘って脱落することのない止め具、およびこの止め具を用いるファイルを提供することを目的とする。
【０００５】
【課題を解決するための手段】
板状物に綴じ孔を穿設し、前記板状物の外周より前記綴じ孔に向けて直角に切り込んで直角辺を形成し、前記板状物の外周より前記直角辺または前記綴じ孔に向けて傾斜して切り込んで傾斜辺を形成し、前記直角辺と前記傾斜辺とにより開口を形成してある止め具を、表表紙と裏表紙の開放端部にそれぞれ取り付け、前記表表紙と裏表紙には、前記綴じ孔および開口に対応する切断用のミシン目を設けることを特徴とする。
【０００６】
また、板状物に綴じ孔を穿設し、前記板状物の外周より前記綴じ孔に向けて直角に切り込んで直角辺を形成し、前記板状物の外周より前記直角辺または前記綴じ孔に向けて傾斜して切り込んで傾斜辺を形成し、前記直角辺と前記傾斜辺とにより開口を形成し、前記綴じ孔に並設して第一のスリットを形成してある止め具を、ファイルの表紙体に設けた綴じ金具用の第二のスリットに、止め具の前記第一のスリットを対応させて、各スリットに綴じ金具を差し込んで止め具を装着することを特徴とする。
【００１２】
止め具を用いるファイルは、綴じ孔と直角辺との交点に対し、綴じ孔と傾斜辺との交点を外周側に位置させるようにしてもよい。
【００１５】
【発明の実施の形態】
発明の実施の形態を図面を参照して説明する。図１において、止め具１０は矩形状の合成樹脂製の板状物１２より形成されており、例えばポリプロピレン等の弾性を有する、厚さが０．３乃至１ミリメートル程度の板材より形成されている。板状物１２には、２個の綴じ孔１４、１４が８０ミリメートル程度の間隔を空けて、長手方向の平行辺の一方の側辺１２ａより等距離に穿設されている。
【００１６】
板状物１２の外周の一方の側辺１２ａより、綴じ孔１４、１４の中心１４ａ，１４ａに向けて側辺１２ａから直角に切り込んで直角辺１６、１６を形成し、直角支持部１８、１８を形成してある。また、側辺１２ａから直角辺１６、１６または綴じ孔１４、１４に向けて、１００乃至１５０度の鈍角の傾斜角αをもって傾斜辺２０、２０を切り込んで形成し、傾斜支持部２２、２２を形成してある。本実施形態では傾斜辺の傾斜角αは、１２０度程度の傾斜角を採用している。直角辺１６、１６と傾斜辺２０、２０とにより開口２４、２４が形成される。一方の側辺１２ａ上における開口２４、２４の幅ｄは５ミリメートル程度であり、パイプ式ファイルと称される後述の大型ファイルの綴じ杆の直径より若干大きくなっている。
【００１７】
この止め具１０は図２に示されるように用いられる。すなわち、図２（ａ）では、止め具１０は書類２５の端部に両面テープ、接着剤等にて固着されたものであり、図２（ｂ）では、比較的硬いボード２６等に直接、止め具１０を形成したものである。また、透明ポケットファイルと称される袋状物（図示せず）に、止め具１０を溶着等により固着することもできる。
【００１８】
本実施形態の止め具１０は前記のような構成であり、以下、動作について図３を参照して説明する。図３（ａ）に示されるように、ファイルの綴じ杆２７に止め具１０の開口２４を対応させ、止め具１０を図において左方向（矢印ｘ方向）に押し込む。これにより、綴じ杆２７は相対的に右方向に移動し、図３（ｂ）に示されるように、直角辺１６により形成された直角支持部１８および傾斜辺２０により形成された傾斜支持部２２を湾曲させ、開口２４を押し広げる。直角支持部１８は、その長さＬ１が大きく直角に形成され強度が大きいのに対し、傾斜支持部２２はその長さＬ２が小さく傾斜して形成されているため、直角支持部１８は小さく湾曲し、傾斜支持部２２は大きく湾曲する。
【００１９】
止め具１０をさらに左方向（矢印ｘ方向）に押し込むと、綴じ杆２７は開口２４を通過し、綴じ孔１４内に嵌合する。このようにして、止め具１０はファイル等の綴じ杆２７に極めて容易に綴じ込まれる。綴じ込まれた止め具１０は、直角支持部１８および傾斜支持部２２により支持されるが、書類等の重力が下方に向けてかかり、上方の支持部が湾曲しにくい直角支持部１８であるため、簡単に脱落することはない。
【００２０】
止め具１０を綴じ杆２７より外すときは、図３（ａ）の二点鎖線にて示されるように、綴じ孔１４内に綴じ杆２７が位置する状態から、止め具１０を右斜め上方向（矢印ｙ方向）に引っ張ると、直角支持部１８および傾斜支持部２２は綴じ杆２７により湾曲され、綴じ杆２７は開口２４を通過し、止め具１０は綴じ杆２７より取り外すことができる。このように取り外しも容易に行える。
【００２１】
図４、５を参照して本発明に係る止め具の他の実施形態を説明する。図４（ａ）において、止め具１０Ａは前記した止め具１０の綴じ孔１４、１４および開口２４、２４に並設して固定用の一対のスリット２８が形成されている。そして、このスリット２８を含む領域Ｗ１には両面テープが貼付されている。スリット２８に図４（ｂ）に示される綴じ金具２９が差し込まれて、書類やファイルに止め具が固定されるように構成されている。この綴じ金具２９にも中央部の領域Ｗ２に両面テープが貼付されている。なお、他の構成部分については、前記した実施形態と実質的に同等であり、詳細な説明は省略する。また、領域Ｗ１、Ｗ２に貼付した両面テープは必ずとも必要としない。
【００２２】
この止め具１０Ａは図５に示されるように使用される。図５（ａ）においては、書類２５の綴じ孔にスリット２８を対応させて、綴じ金具２９により止め具１０Ａを固定している。これにより書類２５はファイル等の綴じ杆２７に直接、取付けることができる。図５（ｂ）は、ホルダーと称されるファイル３０に止め具１０Ａを取付けた形態を示している。ファイル３０は、表表紙３１と裏表紙３２とが折返し端部３３により連結して形成されており、表表紙３１の外周部に一対の切り込みよりなるスリット３１ａが形成されており、同様に裏表紙３２にもスリット３２ａが形成されている。すなわち、ファイル３０の表表紙３１の外周部に設けられたスリット３１ａに、止め具１０Ａのスリット２８を対応させて綴じ金具２９を差し込み、ファイル３０の表面に止め具１０Ａを固定している。また、図５（ｃ）においては、ファイル３０の折返し端部３３に近接して設けた切欠き３３ａに止め具１０Ａを通し、裏表紙３２の外周部に綴じ金具２９により固定した形態を示している。図５（ｂ）、（ｃ）の場合は、ファイル３０は大型ファイル等に止め具１０Ａを用いて容易に綴じ込み、取り外しが行えるとともにファイル３０内には綴じ金具２９を用いて書類を綴じ込むことができるという効果を有する。
【００２３】
つぎに本発明に係る止め具を用いるファイルの実施形態を図６を参照して説明する。一般的にフラットファイルと称されるファイル４０は、厚手のボール紙等より形成された表表紙４１、裏表紙４２、背表紙４３から構成されており、中折り部４４には書類等を綴じる金具４５が取り付けてある。このファイル４０は、ボール紙等で構成されているため、自立性が乏しいものである。表表紙４１、裏表紙４２の開放端部の内面に、前記した止め具１０、１０が例えば両面テープ止めにて固着してある。
【００２４】
表表紙４１、裏表紙４２には、止め具１０、１０の綴じ孔１４および開口２４に対応して４個のミシン目４６が形成されており、このミシン目４６を切り取ることにより、綴じ孔１４および開口２４が露出する。図６は、４個のミシン目４６の３個の内側部分が切り取られ、表表紙４１の下方のミシン目４６だけが残っている状態を示している。
【００２５】
なお、止め具１０の構成については、前記した実施形態と実質的に同等なので詳細な説明は省略する。また、止め具１０は、この実施形態のように、別個の止め具を表表紙、裏表紙に固着したものに限らず、表表紙、裏表紙の開放端部に、直接、綴じ孔および開口を設けたものでもよい。さらに、表表紙、裏表紙の開放端部の一方のみに止め具１０を設けるようにしてもよい。
【００２６】
図６に示される止め具１０を用いたファイル４０は、図７に示されるように使用される。ファイル４０は４個のミシン目４６の内側部分が取り外され、内部には金具４５により書類等が綴じられる。パイプ式ファイルと称される大型ファイル５０は、表表紙５１、裏表紙５２および背表紙５３より構成され、中央の背表紙部分には綴じ具５４がリベット止め等により固着されている。綴じ具５４には２本の綴じ杆５５、５５が設けてある。
【００２７】
図７の状態より、止め具１０の開口２４、２４が綴じ杆５５、５５に対応するようにして、ファイル４０を綴じ具５４の方向に押し込む。開口２４、２４は、前記した実施形態と同様に、綴じ杆５５、５５により押し広げられ、さらに押し込むことにより、綴じ杆５５、５５は綴じ孔１４、１４内に位置する。このようにして、ファイル４０は大型ファイル５０に極めて容易に綴じ込まれる。
【００２８】
ファイル４０は、前記したとおり自立性に乏しく、特に開放端部側が湾曲しやすいが、この開放端部を止め具１０により綴じ具５４に支持させるため、表表紙４１、裏表紙４２が湾曲することなく、ファイル４０を安定して綴じ込むことができる。同様にして、大型ファイル５０に複数のファイル４０を綴じ込むことができるため、体系的なファイル４０の綴じ込みが行える。
【００２９】
図８を参照して、止め具を用いるファイルの他の実施形態を説明する。図８（ａ）において、一般にホルダーと称されるファイルの一種であるファイル３０は、表表紙３１と裏表紙３２とが折返し端部３３により連結して形成されており、表表紙３１の外周部の４個所に一対の切り込みよりなるスリット３１ａが形成されており、同様に裏表紙３２にも４個所のスリット３２ａが形成され、合計８個所のスリットが形成されている。スリット３１ａ、３２ａの間隔は８０ミリメートル程度に設定されている。書類等を綴るときには、所望のスリットに金属製等から構成される綴じ具３４をコ字状に折り曲げて差し込み、この綴じ具を折り曲げて綴るように構成してある。図８（ａ）は、裏表紙３２の折返し端部３３に近い外周部のスリットに綴じ具３４を取り付けた状態を示している。この折り返し端部３３の中央部に止め具１０が両面テープ等により固着されている。なお、止め具１０はファイル３０の外周部として開放端部に固着するように構成してもよい。
【００３０】
また、図８（ｂ）は、ファイル３０の裏表紙３２の外周部として上部に止め具１０を固着した形態を示しており、図８（ｃ）は、ファイル３０の裏表紙３２に一体に止め具１０を形成した形態を示している。これらのファイル３０も前記した実施形態と同様に、大型ファイル等に綴じ込んで使用するものであり、綴じ込み、取り外しが容易に行え、脱落しにくいという効果を有する。
【００３１】
図９を参照して、止め具を用いるファイルのさらに他の実施形態を説明する。同図において、ファイル６０は止め具１０を取り付けるためのファイルであり、ファイル４０と同様に、厚手のボール紙等より形成された表表紙６１、裏表紙６２、背表紙６３から構成されており、中折り部６４には書類等を綴じる金具６５が取り付けてある。このファイル６０も、ボール紙等で構成されているため、自立性が乏しいものである。表表紙６１、裏表紙６２の開放端部には、所定の間隔、例えば８０ミリメートルの間隔をおいて、４個のミシン目６６が形成してある。これらのミシン目６６は、通常はそのままにしておかれるが、このファイル６０を大型ファイル５０に綴じ込む場合は、ミシン目６６の内側の部分を切り取る。そして、ミシン目６６の切り取られた部分に対応して、止め具１０を貼着等により固着する。これによりファイル６０は前記した実施形態と同様に、大型ファイル５０に容易にしかも確実に綴じ込むことができる。
【００３２】
つぎに、本発明に係る止め具のさらに他の実施形態を図１０を参照して説明する。図１０（ａ）は、板状物１２の側辺１２ａより綴じ孔１４に向けて直角辺１６を形成し、傾斜辺２０ａは直角辺１６に向けて形成した止め具１０の形態を示している。このように、傾斜辺２０ａを綴じ孔１４に向けずに直角辺１６に向けることにより、傾斜辺２０ａにより形成される傾斜支持部２２ａの強度を大きくすることができる。図１０（ｂ）は、直角辺１６と傾斜辺２０との間に，僅かな間隔を設けた形態を示している。この場合は、止め具１０の綴じ杆２７への綴じ込み力を小さくすることができるが、保持力は若干小さくなる。図１０（ｃ）は、直角辺１６ａを綴じ孔１４の中心１４ａに向けずに、下方に僅かにずらした形態を示している。この場合は、直角支持部１８ａがさらに強力となり、長期間の保持はさらに安定する。
【００３３】
図１０（ｄ）においては、綴じ孔１４の上半分と右下半分すなわち４分の３が曲率半径Ｒ１の円弧で形成され、左下の４分の１が曲率半径Ｒ２の円弧で形成されており、Ｒ１よりＲ２が大きく設定されている。このため、直角辺１６と綴じ孔１４との交点ｍに対し、傾斜辺２０と綴じ孔１４との交点ｎは外周側に位置している。図１０（ｅ）においては、綴じ孔１４の上半分と右下半分強すなわち４分の３強を曲率半径Ｒ１の円弧で形成し、左下の４分の１弱を直線で形成して、直角辺１６と綴じ孔１４との交点ｍに対し、傾斜辺２０と綴じ孔１４との交点ｎが外周側に位置するようにしている。このように直角辺１６側の交点ｍに対し、傾斜辺２０側の交点ｎを外周側に位置させることにより、綴じ杆２７は交点ｎ方向に移動しやすくなり、止め具１０を綴じ杆２７より取り外すときに要する力を小さくすることができる。他の参照符号は、前記した実施形態と実質的に同等なので説明を省略する。
【００３４】
前記した各実施形態においては、綴じ孔は２個設けた形態を示したが、これに限らず１個のものでも、また、４個等、多数設けたものでも同様の効果を奏する。また、止め具は縦に綴じ込む例を示したが、ハンギングホルダー等に吊るすように、横に綴じ込むようにするようにしてもよい。
【００３５】
【発明の効果】
以上説明したように、本発明によれば、止め具は綴じ込み、取り外しが容易であり、綴じ込み状態が安定し、長期間保持状態が安定して脱落しにくくなる。また、ファイルの開口端部に止め具を設けたので、ファイルを大型ファイルに体系的に綴じ込むことができ、ファイルの綴じ込み、取り外しが容易であり、綴じ込み状態が安定して脱落することが少ない。
【図面の簡単な説明】
【図１】本発明に係る止め具の一実施形態の正面図である。
【図２】（ａ）、（ｂ）は、それぞれ本発明に係る止め具の使用形態を示す概略正面図である。
【図３】本発明に係る止め具の動作説明のための概略拡大正面図（ａ）および側面図（ｂ）である。
【図４】（ａ）は、本発明に係る止め具の他の実施形態の正面図、（ｂ）は、図４（ａ）に示す止め具を取り付ける綴じ金具の正面図である。
【図５】図４に示す止め具の使用形態を示し、（ａ）は書類に取り付けた状態の要部正面図、（ｂ）、（ｃ）はそれぞれファイルに取り付けた状態の要部斜視図である。
【図６】本発明に係る止め具を用いるファイルの一実施形態の一部破断斜視図である。
【図７】本発明に係る止め具を用いるファイルの動作説明のための一部破断斜視図である。
【図８】（ａ）、（ｂ）、（ｃ）は、それぞれ本発明に係る止め具を用いるファイルの他の実施形態の一部破断斜視図である。
【図９】本発明に係る止め具を用いるファイルのさらに他の実施形態の一部破断斜視図である。
【図１０】（ａ）、（ｂ）、（ｃ）、（ｄ）、（ｅ）は、それぞれ本発明に係る止め具のさらに他の実施形態の要部正面図である。
【図１１】従来技術を示す正面図である。
【符号の説明】
１０、１０Ａ  止め具
１２  板状物
１２ａ  側辺
１４  綴じ孔
１４ａ  中心
１６、１６ａ  直角辺
１８、１８ａ  直角支持部
２０、２０ａ  傾斜辺
２２、２２ａ  傾斜支持部
２４  開口
２５  書類
２６  ボード
２７、５５  綴じ杆
２８  スリット
２９  綴じ金具
３０、４０、６０  ファイル
３１、４１、５１、６１  表表紙
３２、４２、５２、６２  裏表紙
３１ａ、３２ａ  スリット
３３  折返し端部
３３ａ  切欠き
３４、５４  綴じ具
４３、５３、６３  背表紙
４４、６４  中折り部
４５、６５  金具
４６、６６  ミシン目
５０  大型ファイル
ｍ、ｎ  交点
【図１】
0004041562.tif 000002
【図２】
0004041562.tif 000003
【図３】
0004041562.tif 000004
【図４】
0004041562.tif 000005
【図５】
0004041562.tif 000006
【図６】
0004041562.tif 000007
【図７】
0004041562.tif 000008
【図８】
0004041562.tif 000009
【図９】
0004041562.tif 000010
【図１０】
0004041562.tif 000011
【図１１】
0004041562.tif 000012